(57)【特許請求の範囲】
【請求項１】
緊締力を有する伸縮性編地からなり、少なくとも足部から膝を覆うレッグ部を備え、
前記レッグ部には第１押圧用ライン部と第２押圧用ライン部とを設け、
前記第１押圧用ライン部は前記足部から膝まで延在するＹ字形状で、前中心線を対称軸とする左右対称形状で、足首部の前面側でＹ字形状の合流ラインを分岐ラインに分岐させ、一方の分岐ラインを前記レッグ部の内側面の上方に延在させると共に、他方の分岐ラインを前記レッグ部の外側面の上方に延在させ、
前記第２押圧用ライン部は、足首部から膝部までの領域の後面側に設けるＸ字形状で、後中心線を対称軸とする左右対称形状とし、Ｘ字の上方に分岐させる一方の分岐ラインおよび下方に分岐させる一方の分岐ラインを前記レッグ部の内側面に延在させると共に、上方に分岐させる他方の分岐ラインおよび下方に分岐させる他方の分岐ラインを前記レッグ部の外側面に延在させていることを特徴としているレッグウェア。
【請求項２】
前記第２押圧用ライン部はＸ字形状の合流部をふくらはぎ部の上部でＹ字形状に分岐させて上方への分岐ラインを形成すると共に、足首部で前記合流ラインを逆Ｙ字形状に分岐させて下方への分岐ラインを形成し、
前記第１押圧用ライン部の分岐ラインおよび前記第２押圧用ライン部の上方の分岐ラインは膝上部上端の履き口まで延在させ、
前記第１押圧用ライン部の分岐ラインを前記第２押圧用ライン部の上方への分岐ラインと交差させていると共に、前記第１押圧用ライン部および前記第２押圧用ライン部は異なる色の編み糸で編成されている請求項１に記載のレッグウェア。
【請求項３】
前記伸縮性編地は１０〜１８ｈＰａの緊締力を有すると共に、前記足首部の緊締力を１５〜１８ｈＰａの範囲で最大とし、ふくらはぎ部は１０〜１４ｈＰａとし、爪先部が無いと共に膝上方位置までのレッグ部のみからなり、脚のむくみおよび疲労の除去、軽減用として着用されるものである請求項１または請求項２に記載のレッグウェア。
【発明の詳細な説明】
【技術分野】
【０００１】
本発明はレッグウェアに関し、詳しくは、着用者の脚の状態に合わせて脚のむくみや疲労を効果的に除去、軽減できるものである。
【背景技術】
【０００２】
近年、レッグ部に緊締力を持たせてサポート性やフィット性を高めたレッグウェアが普及している。例えば、特許第２８２２０９０号公報には、図４に示すように、土踏まず部２、足首部３、ふくらはぎ部４、大腿部５の着圧を所定範囲とし、土踏まず部２から大腿部５にかけて緊締力を順次弱くすることにより、サポート性、フィット性と共に、着用感も改善したレッグウェア（パンティストッキング）１が提案されている。
【０００３】
前記のようにレッグウェアに所定の緊締力を持たせることによって脚のむくみや疲労を軽減することは可能である。しかし、脚のむくみや疲労は個人差があると共に、同一人であっても時間やその日の行動によっても異なるため、レッグウェアに持たせた緊締力だけでは脚のむくみや疲労を軽減できなかったり、反対に、レッグウェアに持たせた緊締力が強すぎて圧迫感を覚えたりする場合もある。即ち、前記構成のレッグウェアでは、着用者の脚の状態に合わせた脚のむくみや疲労の除去、軽減という点では改良の余地がある。
【先行技術文献】
【特許文献】
【０００４】
【特許文献１】特許第２８２２０９０号公報
【発明の概要】
【発明が解決しようとする課題】
【０００５】
本発明は、着用感を悪化させることなく、着用者の脚の状態に合わせて脚のむくみや疲労を効果的に除去、軽減できることを課題としている。
【課題を解決するための手段】
【０００６】
前記課題を解決するため、本発明は、緊締力を有する伸縮性編地からなり、少なくとも足部から膝を覆うレッグ部を備え、
前記レッグ部には第１押圧用ライン部と第２押圧用ライン部とを設け、
前記第１押圧用ライン部は前記足部から膝まで延在するＹ字形状で、前中心線を対称軸とする左右対称形状で、足首部の前面側でＹ字形状の合流ラインを分岐ラインに分岐させ、一方の分岐ラインを前記レッグ部の内側面の上方に延在させると共に、他方の分岐ラインを前記レッグ部の外側面の上方に延在させ、
前記第２押圧用ライン部は、足首部から膝部までの領域の後面側に設けるＸ字形状で、後中心線を対称軸とする左右対称形状とし、Ｘ字の上方に分岐させる一方の分岐ラインおよび下方に分岐させる一方の分岐ラインを前記レッグ部の内側面に延在させると共に、上方に分岐させる他方の分岐ラインおよび下方に分岐させる他方の分岐ラインを前記レッグ部の外側面に延在させていることを特徴としているレッグウェアを提供している。  
【０００７】
前記のように、足首部の前面側でＹ字形状に分岐させ、一方の分岐ラインを前記レッグ部の内側面に、他方の分岐ラインを前記レッグ部の外側面にそれぞれ延在させた第１押圧用ライン部をレッグ部に設けることにより、該第１押圧用ライン部に沿って下側から上側に脚を押圧するだけでリンパ液の流れを促進して脚のむくみを除去、軽減することができる。
【０００８】
また、足首部から膝部までの領域の後面側でＸ字形状に分岐させ、上方に分岐させる一方の分岐ラインおよび下方に分岐させる一方の分岐ラインを前記レッグ部の内側面に、上方に分岐させる他方の分岐ラインおよび下方に分岐させる他方の分岐ラインを前記レッグ部の外側面にそれぞれ延在させた第２押圧用ライン部をレッグ部に設けることにより、該第２押圧用ライン部に沿って脚を押圧するだけで筋肉疲労を起こしやすいヒラメ筋を刺激して脚の疲労を除去、軽減することができる。
なお、本発明では前記のように第２押圧用ライン部では足首部から膝部までの領域の後面側でＸ字形状に分岐させているが、特に、ふくらはぎ部の上部で合流ラインをＹ字形状に分岐させて上方への分岐ラインを形成すると共に、足首部で前記合流ラインを逆Ｙ字形状に分岐させて下方への分岐ラインを形成していることが好ましい。
【０００９】
前記のような第１押圧用ライン部および第２押圧用ライン部をレッグ部に設けておくことにより、着用者の脚のむくみや疲労の状態に合わせて第１押圧用ライン部や第２押圧用ライン部の押圧の程度を調節することができる。具体的には、脚のむくみがひどい場合には、前記第１押圧用ライン部を押圧する力を強めたり押圧回数を増やしたりすることで効果的に脚のむくみを除去、軽減できる一方、脚のむくみがあまりひどくない場合には第１押圧用ライン部の押圧力や押圧回数を低減することで対処できる。また、脚の疲労がひどい場合には、前記第２押圧用ライン部を押圧する力を強めたり押圧回数を増やしたりすることで効果的に脚の疲労を除去、軽減できる一方、疲労があまりひどくない場合には第２押圧用ライン部の押圧力や押圧回数を低減することで対処できる。
【００１０】
即ち、必要に応じて押圧できる前記第１、第２押圧用ライン部をレッグ部に設けておくことで、レッグウェアを形成する伸縮性編地の緊締力を若干下げて圧迫感を低減させることも可能である。また、レッグウェアを形成する伸縮性編地の緊締力は保持したまま、前記第１、第２押圧用ライン部も設けておくことで、ひどい脚のむくみや疲労にも効果的に対処することができる。このように、前記構成によれば、着用感を悪化させることなく、着用者の脚の状態に合わせて脚のむくみや疲労を効果的に除去、軽減することが可能となる。
【００１１】
前記のように、第１押圧用ライン部は前中心線を対称軸とする左右対称形状とする一方、前記第２押圧用ライン部は後中心線を対称軸とする左右対称形状としている。前記第１押圧用ライン部の分岐ラインを前記第２押圧用ライン部の上方への分岐ラインと交差させていると共に、前記第１押圧用ライン部および前記第２押圧用ライン部は異なる色の編み糸で編成されていることが好ましい。
【００１２】
前記形状の第１、第２押圧用ライン部に沿って脚を押圧することで、より効果的に脚のむくみや疲労を除去、軽減できると共に、第１、第２押圧用ライン部を前中心線、後中心線を対称軸とした左右対称形状とすることでレッグウェアの意匠性も高められる。また、前記第１押圧用ライン部および前記第２押圧用ライン部を異なる色の編み糸で編成することにより、脚のむくみを除去、軽減するための第１押圧用ライン部と、脚の疲労を除去、軽減するための第２押圧用ライン部とを着用者が容易に区別して脚の状態に応じて使い分けることができる。
【００１３】
前記第１、第２押圧用ライン部のライン幅は、指先などで効果的な押圧力を安定して付与できるように２０〜３０ｍｍ程度を基準とすることが好ましいが、レッグ部の下部側に向けてライン幅を漸減させたり、上部側に向けてライン幅を漸増させたりしてもよい。また、分岐前の合流ラインも滑らかな分岐を可能とするために分岐部に向けてライン幅を漸増させることが好ましい。
【００１４】
前記伸縮性編地は１０〜１８ｈＰａの緊締力を有すると共に、前記足首部の緊締力を最大とし、爪先部が無いと共に膝上方位置までのレッグ部のみからなり、脚のむくみおよび疲労の除去、軽減用として着用されるものであることが好ましい。
【００１５】
特に、緊締力を足首部で１５〜１８ｈＰａ、ふくらはぎ部で１０〜１４ｈＰａとして、足首部から上方に向けて緊締力を段階的に弱めていくことにより、脚のむくみや疲労を軽減することができる。脚のむくみや疲労を軽減させるために静脈を効果的に還流させるには、ある程度強いパワーを脚に与える必要があることは知られている。緊締力を足首部で１５〜１８ｈＰａ、ふくらはぎ部で１０〜１４ｈＰａとすることにより、脚の筋肉の動きを妨げずに良好な着用感を得ながら、脚のむくみや疲労を軽減することができる。第１、第２押圧用ライン部を設けた編地部分の緊締力は、前記第１、第２押圧用ライン部を設けていない隣接する編地部分より緊締力を高めてもよいが、同程度としてもよい。なお、かかる緊締力は、エアパック様式の（株）エイエムアイ社製衣服圧変換機ＡＭ１３０３７を使用し、２０歳代平均体型のトルソーに立位で着用させて測定したものである。
また、前記のように爪先部を設けないことで爪先に蒸れを生じさせず、最もむくみや疲労が出やすい踵から膝上方位置までを覆うレッグ部のみとして、パンティ部を設けない構成とすることで圧迫感を低減することができる。なお、本発明のレッグウェアは、前記のように爪先部が無く、踵から膝上までを覆うレッグ部のみの構成とすることが好ましいが、前記構成に限られるものでなく、レッグ部とパンティ部とを備えたものであってもよいし、爪先部を設けたものであってもよい。
【００１６】
レッグ部の編組織としては、例えば、通気性やフィット性に優れた鹿の子編みが好ましく、編成に用いられる糸としては、例えば表糸が繊度１５０〜２５０デシテックス程度のカバリング糸、裏糸が繊度５０〜１００デシテックス程度のポリエステル糸等が挙げられる。また、前記編組織からなる編地にカバリング糸やポリウレタン糸等の弾性糸を挿入することも好ましい。また、第１、第２押圧用ライン部は、例えば、色の異なるウーリーナイロン糸等の編み糸で足し糸（カットボス）を行うことにより形成することができる。
【発明の効果】
【００１７】
前述したように、本発明によれば、足首部の前面側でＹ字形状に分岐させ、一方の分岐ラインを前記レッグ部の内側面に、他方の分岐ラインを前記レッグ部の外側面にそれぞれ延在させた第１押圧用ライン部をレッグ部に設けているため、該第１押圧用ライン部に沿って下側から上側に向けて脚を押圧するだけでリンパ液の流れを促進して脚のむくみを除去、軽減することができる。また、足首部から膝部までの領域の後面側でＸ字形状に分岐させ、上方に分岐させる一方の分岐ラインおよび下方に分岐させる一方の分岐ラインを前記レッグ部の内側面に、上方に分岐させる他方の分岐ラインおよび下方に分岐させる他方の分岐ラインを前記レッグ部の外側面にそれぞれ延在させた第２押圧用ライン部をレッグ部に設けているため、該第２押圧用ライン部に沿って脚を押圧するだけで筋肉疲労を起こしやすいヒラメ筋を効果的に刺激して脚の疲労を除去、軽減することができる。
【００１８】
このように、必要に応じて押圧できる前記第１、第２押圧用ライン部をレッグ部に設けておくことで、レッグウェアを形成する伸縮性編地の緊締力を若干下げて圧迫感を低減させることも可能となる。また、レッグウェアを形成する伸縮性編地の緊締力は保持したまま、前記第１、第２押圧用ライン部も設けておくことで、ひどい脚のむくみや疲労にも効果的に対処することができる。即ち、本発明によれば、着用感を悪化させることなく、着用者の脚の状態に合わせて脚のむくみや疲労を効果的に除去、軽減することができる。
【図面の簡単な説明】
【００１９】
【図１】本実施形態のレッグウェア（左足側）の前面側を示す概略平面図である。
【図２】レッグウェアの後面側を示す概略平面図である。
【図３】レッグウェアの側面側を示す概略平面図である。
【図４】従来例を示す図である。
【発明を実施するための形態】
【００２０】
以下、本発明の実施形態を図面を参照して説明する。
図１乃至図３は本発明の実施形態を示している。図１乃至図３に示すレッグウェア１０は脚のむくみおよび疲労の除去、軽減用としての帰宅後自宅などで着用されるレッグウェアである。レッグウェア１０は土踏まず位置から膝上方位置までのレッグ部１１のみからなり、爪先部およびパンティ部は設けていない。レッグ部１１は緊締力を有する伸縮性編地からなり、足部１３、踵部１４、足首部１５、ふくらはぎ部１６、膝部１７、膝上部１８の各部から構成しており、足部１３の下端には袋編みされた足先部１２を、膝上部１８の上端には袋編みされた履き口部１９をそれぞれ連続させている。本実施形態では上端の履き口部１９から下端の足先部１２までを通常の靴下丸編機（図示せず）を用いて編成している。
【００２１】
レッグ部１１は、鹿の子編みからなる編地に２３０デシテックスのダブルカバリング糸（芯糸：１６０デシテックスのポリウレタン糸、鞘糸：４５デシテックスのナイロン糸）を挿入して緊締力を持たせた編地とし、前記鹿の子編みからなる編地の編成には、１７４デシテックスのシングルカバリング糸（芯糸：４４デシテックスのポリウレタン糸、鞘糸：１３０デシテックスの綿糸）を表糸とし、裏糸に７５デシテックスのポリエステル糸を用いている。本実施形態では、レッグ部１１の緊締力を足首部１５で１７ｈＰａ程度、ふくらはぎ部１６上部で１３ｈＰａ程度とし、足首部から膝上方に向けて編み密度を順次下げることにより着圧を段階的に下げている。
【００２２】
本実施形態では、レッグ部１１に第１押圧用ライン部２０と第２押圧用ライン部２１とを設けている。第１押圧用ライン部２０は、足先部１２から前中心線Ｌ１を通って足首部１５の前面側に至る合流ライン２０ａを該足首部１５前面側でＹ字形状に分岐させ、一方の分岐ライン２０ｂはレッグ部１１の内側面に延在させていると共に、他方の分岐ライン２０ｃはレッグ部１１の外側面に延在させ、いずれの分岐ライン２０ｂ、２０ｃも上端を履き口部１９まで到達させている。第１押圧用ライン部２０は前中心線Ｌ１を対称軸とする左右対称形状とすると共にライン幅は２０〜３０ｍｍ程度を基準としているが、合流ライン２０ａは分岐部に向けてライン幅を４０ｍｍ程度にまで漸増させていると共に、分岐ライン２０ｂ、２０ｃも上端側でライン幅を４０ｍｍ程度にまで漸増させている。
【００２３】
また、第２押圧用ライン部２１は、足首部１５およびふくらはぎ部１６の後面側でＸ字形状に分岐させている。具体的には、足首部１５から後中心線Ｌ２を通ってふくらはぎ部１６の上部に至る合流ライン２１ａを該ふくらはぎ部１６上部でＹ字形状に分岐させ、上方に分岐させる一方の分岐ライン２１ｂはレッグ部１１の内側面に延在させていると共に、上方に分岐させる他方の分岐ライン２１ｃはレッグ部１１の外側面に延在させ、いずれの分岐ライン２１ｂ、２１ｃも上端を履き口部１９まで到達させている。また、合流ライン２１ａを足首部１５で逆Ｙ字形状に分岐させ、下方に分岐させる一方の分岐ライン２１ｄはレッグ部１１の内側面に延在させていると共に、下方に分岐させる他方の分岐ライン２１ｅはレッグ部１１の外側面に延在させ、いずれの分岐ライン２１ｄ、２１ｅも下端を足先部１２の近傍まで到達させている。第２押圧用ライン部２１は後中心線Ｌ２を対称軸とする左右対称形状とし、上方への分岐ライン２１ｂ、２１ｃを第１押圧用ライン部２０の分岐ライン２０ｂ、２０ｃとそれぞれ交差させている。
【００２４】
第２押圧用ライン部２１のライン幅は２０〜３０ｍｍ程度を基準としているが、合流ライン２１ａは上下の分岐部に向けてライン幅を７０ｍｍ程度にまで漸増させていると共に、上方への分岐ライン２１ｂ、２１ｃも上端側でライン幅を４０ｍｍ程度にまで漸増させている。一方、下方への分岐ライン２１ｄ、２１ｅは下端側でライン幅を０ｍｍまで漸減させている。
【００２５】
本実施形態では、第１押圧用ライン部２０、第２押圧用ライン部２１をそれぞれ水色、紫色の編み糸で足し糸（カットボス）を行って形成しており、編み糸としては７０デシテックスのウーリーナイロン糸を用いている。本実施形態では、第１、第２押圧用ライン部２０、２１を設けた編地部分の緊締力は、第１、第２押圧用ライン部２０、２１を設けていない編地部分の緊締力と同程度としている。しかし、より効果的な脚のむくみ、疲労の除去、軽減のために、第１、第２押圧用ライン部２０、２１を設けた編地の緊締力を他の編地部分の緊締力より高めておいてもよい。
【００２６】
前記のように、足首部１５の前面側でＹ字形状に分岐させ、一方の分岐ライン２０ｂをレッグ部１１の内側面に、他方の分岐ライン２０ｃをレッグ部１１の外側面にそれぞれ延在させた第１押圧用ライン部２０をレッグ部１１に設けているため、第１押圧用ライン部２０に沿って下側から上側に向けて脚を押圧するだけでリンパ液の流れを促進して脚のむくみを除去、軽減することができる。
【００２７】
また、足首部１５およびふくらはぎ部１６の後面側でＸ字形状に分岐させ、上方に分岐させる一方の分岐ライン２１ｂおよび下方に分岐させる一方の分岐ライン２１ｄをレッグ部１１の内側面に、上方に分岐させる他方の分岐ライン２１ｃおよび下方に分岐させる他方の分岐ライン２１ｅをレッグ部の外側面にそれぞれ延在させた第２押圧用ライン部２１をレッグ部１１に設けているため、第２押圧用ライン部２１に沿って脚を押圧するだけで筋肉疲労を起こしやすいヒラメ筋を効果的に刺激して脚の疲労を除去、軽減することができる。
【００２８】
このように、必要に応じて押圧できる第１、第２押圧用ライン部２０、２１をレッグ部１１に設けておくことで、レッグウェア１０を形成する伸縮性編地の緊締力を若干下げて圧迫感を低減させることも可能となる。また、レッグウェア１０を形成する伸縮性編地の緊締力は保持したまま、第１、第２押圧用ライン部２０、２１も設けておくことで、ひどい脚のむくみや疲労にも効果的に対処することができる。即ち、着用感を悪化させることなく、着用者の脚の状態に合わせて脚のむくみや疲労を効果的に除去、軽減することができる。
なお、本実施形態のレッグウェア１０は爪先部の無いレッグ部のみの構成としているが、パンティ部や爪先部を設けてもよい。
【符号の説明】
【００２９】
１０  レッグウェア
１１  レッグ部
１２  足先部
１３  足部
１４  踵部
１５  足首部
１６  ふくらはぎ部
１７  膝部
１８  膝上部
１９  履き口部
２０  第１押圧用ライン部
２０ａ  合流ライン
２０ｂ、２０ｃ  分岐ライン
２１  第２押圧用ライン部
２１ａ  合流ライン
２１ｂ、２１ｃ、２１ｄ、２１ｅ  分岐ライン
【図１】
0005530189.tif 000002
【図２】
0005530189.tif 000003
【図３】
0005530189.tif 000004
【図４】
0005530189.tif 000005